(57)【要約】【課題】  光量調節部材を駆動するステッピングモータに対して、励磁力が強い位相に励磁を行うことで、リセット動作を行う光量調節装置の場合、モータの位相を正確に合わせて光量調節装置に取り付ける必要がある。このため、製造コストが高くなるという問題があった。【解決手段】  最初にリセット位置とは異なる所定の位相に励磁を行ってから、さらにリセット位置の位相に励磁を行うことを特徴とする。これにより、光量調節部材を駆動するステッピングモータの取り付け誤差による位相のずれが存在しても、正常にリセット動作を行うことが可能となる。【選択図】  図５
2007033657.tif 000002
【特許請求の範囲】
【請求項１】
光量調節部材と、光学系を通過する光量を調節するために前記光量調節部材を開閉駆動するステッピングモータとを有し、前記光量調節部材の動作範囲が、前記ステッピングモータの電気角３６０度未満となるように構成された光量調節装置において、
第１の位相位置に励磁を行ってから、第２の位相位置に励磁を行うことで、前記ステッピングモータの初期リセット動作を行うことを特徴とする光量調節装置。
【請求項２】
前記第１の位相位置および第２の位相位置とは、前記光量調節部材の駆動範囲内の位置にあることを特徴とする請求項１に記載の光量調節装置。
【請求項３】
前記第２の位相位置とは、前記ステッピングモータの励磁力が最も強い位相位置の一つであることを特徴とする請求項１または２に記載の光量調節装置。
【請求項４】
前記第１の位相位置とは、前記第２の位相位置と隣接する、励磁力が最も強い位相位置であることを特徴とする請求項１から３のいずれかの光量調節装置。
【請求項５】
請求項１から４のいずれかに記載の光量調節装置と、露出制御開始前に前記光量調節装置の初期リセット動作を行うことを特徴とする撮像装置。
【発明の詳細な説明】
【技術分野】
【０００１】
本発明は、絞り装置などの光量調節装置を具備した、撮像装置に関するものである。
【背景技術】
【０００２】
従来、カメラなどに用いられている光量調節装置は、駆動コイルへの通電量により２枚の絞り羽根を開閉させるガルバノ式アクチュエータと、絞りの位置検出用のホール素子と、絞り位置の制御信号を出力する回路とを備えたものが公知である。しかしながら、このシステムにおいては、位置検出用センサ（ホール素子）やその検出回路、調整回路など部品点数も多く複雑であるといった欠点がある。これを改善する目的で、近年ではステッピングモータを用いた絞り装置が発案されている。
【０００３】
例えば、機械動作角が電気角２７０度未満となるように構成された光量調節装置において、駆動範囲の中間位置付近で、光量調節部材を駆動するステッピングモータの励磁力が、強い位相位置となるようにモータを取り付ける。そして、この位相に励磁を行うことで、初期位置を決定するという方法が良く知られている。
【０００４】
さらに、特許文献１では、ステッピングモータを用いて絞り羽根を駆動し、機械的（メカ的）な突き当てにより初期位置基準を決定する。さらにロータ回転機械角が電気角１回転以内となるように構成することで、リセットセンサを廃止し、かつ羽根の位置を確実に検知できるものとしている。
【０００５】
特許文献２では、機械動作角を電気角によって制限されない範囲で大きくとる絞り装置であって、光量調整用として機能する駆動範囲外に設けられた、機械端（メカ端）に突き当てを行って初期位置基準を決定するように構成されている。絞り動作終了時には、突き当てを行う機械端（メカ端）に対して、光量調節範囲の中間位置より離れた位置に停止させるものとしている。
【特許文献１】特開２００２−１０７７９２号（第１、２頁、図３）
【特許文献２】特開２００５−０９２０６５号（第１、２頁、図３）
【発明の開示】
【発明が解決しようとする課題】
【０００６】
しかしながら、上記励磁力が強い位相に励磁してリセットを行う光量調節装置の場合、モータの位相を正確に合わせて光量調節装置に取り付ける必要があるため、コストが高くなるという問題があった。
【０００７】
さらに、上記に挙げた特許文献では、いずれも機械端（メカ端）に突き当てを行うことでリセットを行うため、クローズとオープン間のストローク以上に絞りを駆動させる必要がある。この場合、必ず機械端に突き当たったまま無意味に駆動させなければならず、突き当たったときの不快音の発生や衝撃による耐久性低下といった問題があった。
【課題を解決するための手段】
【０００８】
上記課題を解決するために、本発明は、光量調節部材と、光学系を通過する光量を調節するために前記光量調節部材を開閉駆動するステッピングモータとを有し、前記光量調節部材の動作範囲が、前記ステッピングモータの電気角３６０度未満となるように構成された光量調節装置において、第１の位相位置に励磁を行ってから、リセット位相位置となる第２の位相位置に励磁を行うことで、前記ステッピングモータの初期リセット動作を行うことを特徴とするものである。
【発明の効果】
【０００９】
本発明によれば、光量調節部材を駆動するステッピングモータを取り付ける際に位相がずれてしまったとしても、正しくリセット動作が行える光量調節装置および撮像装置を提供することができる。
【発明を実施するための最良の形態】
【００１０】
以下、本発明を図示の実施の形態に基づいて詳細に説明する。
【００１１】
図１は、本発明の実施の各形態に係る画像処理装置の概略構成を示すブロック図である。
【００１２】
図１において、１００は画像処理装置である。１０は撮像レンズ、１１は絞りなどの光量調節装置、１２はシャッタ、１４は光学像を電気信号に変換する撮像素子である。１２０は撮像素子１４のアナログ信号出力を増幅してカメラの感度を設定するゲインアンプ、１６は撮像素子１４のアナログ信号出力をディジタル信号に変換するＡ／Ｄ変換器である。１８は、撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１３】
２０は画像処理回路であり、Ａ／Ｄ変換器１６からのデータ或いはメモリ制御回路２２からのデータに対して所定の画素補間処理を行う。撮像した画像データを用いて所定の演算処理を行い、得られた演算結果に基づいて後述のシステム制御回路５０が、露光制御回路４０、測距制御回路４２に対して制御を行う。これらの制御は具体的には、ＴＴＬ（スルー・ザ・レンズ）方式のＡＦ（オートフォーカス）処理、ＡＥ（自動露出）処理、ＥＦ（フラッシュプリ発光）処理である。さらに、画像処理回路２０においては、撮像した画像データを用いて所定の演算処理を行い、得られた演算結果に基づいてＴＴＬ方式のＡＷＢ（オートホワイトバランス）処理も行っている。
【００１４】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００１５】
５０は画像処理装置１００全体を制御するシステム制御回路である。メモリ制御回路２２を介してＴＴＬによって測光された輝度レベルを基に適正露出値を演算して露出制御回路４０を制御するものである。
【００１６】
２４は画像表示メモリ、２６はＤ／Ａ変換器である。２８はＴＦＴ、ＬＣＤ等から成る画像表示部であり、画像表示メモリ２４に書き込まれた表示用の画像データはＤ／Ａ変換器２６を介して該画像表示部２８により表示される。該画像表示部２８を用いて撮像した画像データを逐次表示すれば、電子ファインダ機能を実現することが可能である。また、画像表示部２８は、システム制御回路５０の指示により任意に表示をＯＮ／ＯＦＦすることが可能であり、表示をＯＦＦにした場合には画像処理装置１００の電力消費を大幅に低減することができる。
【００１７】
３０は撮像した静止画像や動画像を格納するためのメモリであり、所定枚数の静止画像や所定時間の動画像を格納するのに十分な記憶量を備えている。これにより、複数枚の静止画像を連続して撮像する連射撮像やパノラマ撮像の場合にも、高速かつ大量の画像書き込みを該メモリ３０に対して行うことが可能となる。また、メモリ３０はシステム制御回路５０の作業領域としても使用することが可能である。
【００１８】
３２は適応離散コサイン変換（ＡＤＣＴ）等により画像データを圧縮伸長する圧縮伸長回路であり、メモリ３０に格納された画像を読み込んで圧縮処理或いは伸長処理を行い、処理を終えたデータをメモリ３０に書き込む。
【００１９】
４０は光量調整装置１１とシャッタ１２を制御する露出制御回路である。４２は撮像レンズ１０のフォーカシングを制御する測距制御回路、４４は撮像レンズ１０のズーミングを制御するズーム制御回路、４６はバリアである保護部材１０２の動作を制御するバリア制御回路である。前記露出制御回路４０、測距制御回路４２はＴＴＬ方式を用いて制御されており、撮像した画像データを画像処理回路２０によって演算した演算結果に基づき、システム制御回路５０がこれら露出制御回路４０、測距制御回路４２に対して制御を行う。
【００２０】
５２は、システム制御回路５０の動作用の定数、変数、プログラム等を記憶するメモリである。５４は、システム制御回路５０でのプログラムの実行に応じて、文字、画像、音声等を用いて動作状態やメッセージ等を表示する液晶表示装置、スピーカー等の表示部である。この表示部５４は、画像処理装置１００の操作部近辺の視認し易い位置に単数或いは複数個所設置され、例えばＬＣＤやＬＥＤ、発音素子等の組み合わせにより構成されている。また、該表示部５４は、その一部の機能が光学ファインダ１０４内に設置されている。
【００２１】
前記表示部５４の表示内容のうち、ＬＣＤ等に表示するものとしては、シングルショット／連写撮像表示、セルフタイマー表示、圧縮率表示、記録画素数表示、記録枚数表示、残撮像可能枚数表示、シャッタースピード表示、絞り値表示がある。他には、露出補正表示、赤目緩和表示、マクロ撮像表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示、等がある。また、該表示部５４の表示内容のうち、光学ファインダ１０４内に表示するものとしては、合焦表示、手振れ警告表示、ストロボ充電表示、シャッタースピード表示、絞り値表示、露出補正表示、等がある。
【００２２】
５６は電気的に消去・記録可能な不揮発性メモリであり、例えばＥＥＰＲＯＭ等が用いられる。
【００２３】
６２，６４，６６，６８及び７０は、システム制御回路５０の各種の動作指示を入力するための操作部材であり、スイッチやダイアル、タッチパネル、視線検知によるポインティング、音声認識装置等の単数或いは複数の組み合わせで構成される。ここで、これらの操作部材の具体的な説明を行う。
【００２４】
６２はシャッタースイッチＳＷ１であり、不図示のシャッタースイッチ部材の操作途中でＯＮとなる。シャッタースイッチＳＷ１がＯＮとなることで、ＡＦ（オートフォーカス）処理、ＡＥ（自動露出）処理、ＡＷＢ（オートホワイトバランス）処理、ＥＦ（ストロボプリ発光）処理等の撮像準備動作開始を指示する。６４はシャッタースイッチＳＷ２である。シャッタースイッチＳＷ２は不図示のシャッタースイッチ部材の操作完了でＯＮとなり、一連の処理の撮像動作開始を指示する。具体的には、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理がある。これに加え、メモリ３０から画像データを読み出し、圧縮・伸長回路３２で圧縮を行い、記録媒体２００或いは２１０に画像データを書き込む記録処理も行われる。６６は画像表示ＯＮ／ＯＦＦスイッチであり、画像表示部２８のＯＮ／ＯＦＦを設定することができる。この機能により、光学ファインダ１０４を用いて撮像を行う際に、ＴＦＴ  ＬＣＤ等から成る画像表示部２８への電流供給を遮断することにより、省電力を図ることが可能となる。６８はクイックレビューＯＮ／ＯＦＦスイッチであり、撮像直後に撮像した画像データを自動再生するクイックレビュー機能を設定する。なお、本実施の各形態では特に、画像表示部２８をＯＦＦとした場合におけるクイックレビュー機能の設定をする機能を備えるものとする。
【００２５】
６０はモードダイアルである。オートモードやプログラムモード、絞り優先モード、シャッタ速度優先モードのほか、色変換モードや、夜景モード、子供撮影モード、花火撮影モード、水中撮影モードなど様々な撮影シーンに応じた設定を選択できるようになっている。
【００２６】
７０は各種ボタンやタッチパネル等からなる操作部である。メニューボタン、セットボタン、マクロボタン、マルチ画面再生改ページボタン、ストロボ設定ボタン、単写／連写／セルフタイマー切り替えボタン、メニュー移動＋（プラス）ボタン、メニュー移動−（マイナス）ボタンがある。他には、再生画像移動＋（プラス）ボタン、再生画像−（マイナス）ボタン、撮像画質選択ボタン、露出補正ボタン、日付／時間設定ボタン等がある。
【００２７】
８０は電源制御回路であり、電池検出回路、ＤＣ−ＤＣコンバータ、通電するブロックを切り替えるスイッチ回路等により構成されている。電池の装着の有無、電池の種類、電池残量、電源電圧の検出を行い、検出結果及びシステム制御回路５０の指示に基づいてＤＣ−ＤＣコンバータを制御し、必要な電圧を必要な期間、記録媒体を含む各部へ供給する。
【００２８】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源装置である。
【００２９】
９０及び９４はメモリカードやハードディスク等の記録媒体とのインタフェース、９２及び９６はメモリカードやハードディスク等の記録媒体と接続を行うコネクタである。９８はコネクタ９２及び或いは９６に記録媒体２００或いは２１０が装着されているか否かを検知する記録媒体着脱検知装置である。
【００３０】
なお、本実施の各形態では、記録媒体を取り付けるインタフェース及びコネクタを２系統持つものとして説明している。もちろん、記録媒体を取り付けるインタフェース及びコネクタは、単数或いは複数、いずれの系統数を備える構成としても構わない。また、異なる規格のインタフェース及びコネクタを組み合わせて備える構成としても構わない。インタフェース及びコネクタとしては、ＰＣＭＣＩＡカードやＣＦ（小型の記憶装置（コンパクトフラッシュ（登録商標））カード等の規格に準拠したものを用いて構成して構わない。
【００３１】
さらに、インタフェース９０及び９４、そしてコネクタ９２及び９６をＰＣＭＣＩＡカードやＣＦカード等の規格に準拠したものを用いて構成した場合は次の動作が可能となる。ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続する。これにより、他のコンピュータやプリンタ等の周辺機器との間で画像データや画像データに付属した管理情報を転送し合うことができる。
【００３２】
１０２は、画像処理装置１００のレンズ１０を含む撮像部を覆う事により、撮像部の汚れや破損を防止するバリアである保護部材である。１０４は光学ファインダであり、画像表示部２８による電子ファインダ機能を使用すること無しに、光学ファインダのみを用いて撮像を行うことが可能である。また、光学ファインダ１０４内には、表示部５４の一部の機能、例えば、合焦表示、手振れ警告表示、ストロボ充電表示、シャッタースピード表示、絞り値表示、露出補正表示などが設置されている。
【００３３】
１１０は通信装置であり、ＲＳ２３２ＣやＵＳＢ、ＩＥＥＥ１３９４、Ｐ１２８４、ＳＣＳＩ、モデム、ＬＡＮ、無線通信、等の各種通信機能を有する。１１２は通信装置１１０により画像処理装置１００を他の機器と接続するコネクタ或いは無線通信の場合はアンテナである。
【００３４】
２００はメモリカードやハードディスク等の記録媒体であり、半導体メモリや磁気ディスク等から構成される記録部２０２、画像処理装置１００とのインタフェース２０４、画像処理装置１００と接続を行うコネクタ２０６を備えている。２１０はメモリカードやハードディスク等の記録媒体であり、半導体メモリや磁気ディスク等から構成される記録部２１２、画像処理装置１００とのインタフェース２１４、画像処理装置１００と接続を行うコネクタ２１６を備えている。
【実施例１】
【００３５】
図２は本発明の実施の一形態に係る光量調節装置の光量調節部材を駆動するためのステッピングモータとその制御回路およびステッピングモータの動作を示す概略図である。
【００３６】
以下では、光量調節装置を絞り、光量調節部材を絞り羽根、光量調節装置の初期位置リセットをリセットとして説明する。
【００３７】
同図において、１は２極着磁されたロータマグネット、２は電磁石の一方の磁極となるステータ、３はステータ２を励磁して磁力を発生させるＡ励磁コイルである。４はもう一方の電磁石の磁極となるステータ、５はステータ４を励磁して磁力を発生させるＢ励磁コイルである。６はＡ励磁コイル３及びＢ励磁コイル５の通電制御をおこなう制御回路である。
【００３８】
上記２組みの電磁石は、電気角で９０°の位相差をもって配置されている。すなわち、Ａ励磁コイル３とＢ励磁コイル５へ９０°の位相差のある交流電流を流すことにより発生する回転磁界にロータマグネット１が同期して回転する、ステッピングモータを構成している。
【００３９】
図２（ａ）において、Ａ励磁コイル３およびにＢ励磁コイル５に対して矢印方向に電流を流すと、ステータ２およびステータ４が図示のごとく励磁され、ロータマグネット１が磁気的に釣り合う位置まで回転する。次にＡ励磁コイル３への電流を停止させると、図２（ｂ）のようにロータマグネット１が磁気的に釣り合う位置まで回転する。
【００４０】
続いて、Ａ励磁コイル３に対して、図２（ｃ）の矢印で示す方向に電流を流すと、ステータ２とステータ４が図示のごとく励磁され、ロータマグネット１が磁気的に釣り合う位置まで回転する。さらにＢ励磁コイル５への電流を停止させると、図２（ｄ）のようにロータマグネット１が磁気的に釣り合う位置まで回転する。
【００４１】
続いて、Ｂ励磁コイル５に対して、図２（ｅ）の矢印で示す方向に電流を流すと、ステータ２とステータ４が図示のごとく励磁され、ロータマグネット１が磁気的に釣り合う位置まで回転する。さらにＡ励磁コイル３への電流を停止させると、図２（ｆ）のようにロータマグネット１が磁気的に釣り合う位置まで回転する。
【００４２】
続いて、Ａ励磁コイル３に対して、図２（ｇ）の矢印で示す方向に電流を流すと、ステータ２とステータ４が図示のごとく励磁され、ロータマグネット１が磁気的に釣り合う位置まで回転する。さらにＢ励磁コイル５への電流を停止させると、図２（ｈ）のようにロータマグネット１が磁気的に釣り合う位置まで回転する。
【００４３】
上記一連のＡ励磁コイル３及びＢ励磁コイル５に対する電流制御シーケンスとして、図２（ａ）、図２（ｂ）、図２（ｃ）、図２（ｄ）、図２（ｅ）、図２（ｆ）、図２（ｇ）、図２（ｈ）を繰り返すことにより、ロータマグネット１が回転を続けるようになる。
【００４４】
図２に示す励磁コイルの通電制御は、１−２相励磁での駆動方法として説明している。しかしながら、図３に示すように、９０°の位相差がある正弦波を励磁コイル３および５に入力して、マイクロステップ駆動することで、さらに細かい分解能で光量調節部材を駆動制御することが可能である。
【００４５】
図面には記載されていないが、絞り羽根は、ロータマグネット１の回転運動をギアやベルト、連結部材などを介して伝達され開閉制御される。
【００４６】
図４は、絞りの駆動範囲の一例である。
【００４７】
開放絞りの機械端から最小絞りの機械端までの範囲が絞りの駆動範囲となる。このときモータは１回転以内（３６０°）で、絞りの駆動範囲を制御する構成となる。
【００４８】
この構成であっても、機械端に絞り羽根をぶつけてリセットを行うことは可能であるが、毎回、絞りの開放から小絞り間のパルス以上駆動して機械端にぶつけるため、突き当て音や耐久性低下という問題が付きまとう。
【００４９】
このため、上記問題の対策方法として、図４（Ａ）のように絞りの駆動範囲の中間付近で、励磁力が最も強い位相をリセット位置とするような構成が提案されている。これにより、絞りがどの位置にあっても、リセット位置ｅに励磁することで、正確にリセットが行えるが、絞りを組み立てる際、モータの位相がずれないように取り付ける必要があった。
【００５０】
絞りに取り付けられたモータの位相がずれていた場合、リセット直前の絞りの位置によっては、正確に初期位置に絞りを動作させることができない。
【００５１】
図４（Ｂ）は、絞りに取り付けられたモータの位相がずれていた場合の一例である。
【００５２】
この構成では、位相ａや位相ｈに励磁されていた場合、位相ｅに励磁すると反時計回りの方向へ回転しようとして、開放絞り機械端にぶつかってしまう場合がある。
【００５３】
ここで、上記のようにモータの取り付け位相がずれている絞りであっても、リセットが正しく行うことができる方法について、図４（Ａ）と（Ｂ）の場合を例に以下に説明する。
【００５４】
リセット直前に、一旦リセット位相ｅから電気角で９０°離れた位相ｃ（以下リセット前位相）に励磁を行い、続いてリセット位相ｅに励磁してリセットを行う。このとき、絞りのモータ位相が正常に取り付けられている図４（Ａ）の場合は以下の動作を行う。
【００５５】
（位相ｂ〜ｃにあるとき）
位相ｃに引き込まれた後、正常にリセットする。
【００５６】
（位相ｄ〜ｇにあるとき）
一旦、位相ｃに引き込まれた後、位相ｅまで戻ってリセットする。
【００５７】
（位相ｈにあるとき）
時計回りの方向に動作して最小絞りの機械端に突き当たるが、位相ｅに励磁されたときに、正常にリセットする。
【００５８】
また、絞りに取り付けられたモータの位相がずれている図４（Ｂ）の場合は以下の動作を行う。
【００５９】
（位相ａ〜ｃ、ｈにあるとき）
位相ｃに引き込まれた後、正常にリセットする。
【００６０】
（位相ｄ〜ｇにあるとき）
一旦、位相ｃに引き込まれた後、位相ｅまで戻ってリセットする。
【００６１】
上記手法により、絞りモータの取り付け位相のずれやリセット直前の励磁位置に関わらず、確実にリセットが行える。
【実施例２】
【００６２】
上記実施の第１の形態では、リセット前位相ｃに一旦励磁を行い、続いてリセット位相ｅに励磁することでリセットを行うように説明した。しかしながら、リセット位相ｅから電気角で９０°離れた位相ｃ又はｇの内、絞り駆動範囲の中間位置に近い方の位相をリセット前位相として、一旦励磁してから、リセットを行っても良い。
【実施例３】
【００６３】
上記実施の第１から第２の形態では、リセット前位相に励磁を行い、続いてリセット位相ｅに励磁してリセットを行うように説明した。しかしながら、リセット位相ｅ及びリセット前位相は、絞り駆動範囲内に存在する位相である。
【実施例４】
【００６４】
上記実施の第１から第３の形態では、絞りの駆動範囲の中間付近で、励磁力が最も強い位相をリセット位置として、リセットを行うと説明した。しかしながら、絞り駆動範囲の中間付近で、最も近い１相または２相励磁位置をリセット位置として、リセットを行っても良いことは言うまでも無い。
【実施例５】
【００６５】
上記実施の第１から第４の形態では、リセット前位相をリセット位相ｅから電気角で９０°離れた位相ｃとして説明した。しかしながら、リセット位相に隣り合う、１相または２相励磁位置をリセット前位相位置として、リセットを行っても良いことは言うまでも無い。
【実施例６】
【００６６】
上記実施形態で説明したリセット時の駆動方法は、リセット前位相及びリセット位相の何れへの励磁も、１相または２相励磁であることは言うまでも無い。
【実施例７】
【００６７】
図５は、本発明の実施の一形態に係る露出制御開始時のフローチャートを示す。Ｓ１００では露出制御を開始するか否かを判定する。開始時に再生モードであったり、ライブビューを表示しないで撮影を行うモードだった場合は、Ｓ１００のＮに進んで、露出制御が開始されるのを待つ。Ｓ１００でＹになったとき、上記実施例で説明したとおり、絞りの位相をリセット前位相に励磁したのち（Ｓ１０１）、リセット位相に励磁する（Ｓ１０２）ことでリセットを行う。
【００６８】
この後、測光開始時の絞り径となるように、予め絞り羽根を動かしておいてもよい（Ｓ１０３）。
【００６９】
次にＳ１０４でシャッタを開くと、直ちに測光を開始して（Ｓ１０５）、適正露出になるように、露出制御を行う（Ｓ１０６）。
【００７０】
本実施例では、撮像装置の露出制御開始時における制御フローの一例を説明したが、Ｓ１０４の動作の順番は、測光より速い段階であれば、特にこだわる必要がないことは言うまでも無い。
【実施例８】
【００７１】
さらに、記録媒体２００及び２１０がメモリカードとハードディスク等が一体となった複合媒体であっても勿論問題無い。さらに、その複合媒体から一部が着脱可能な構成としても勿論問題無い。
【００７２】
更に、上記実施の各形態の説明においては、記録媒体２００及び２１０は画像処理装置１００と分離していて任意に接続可能なものとして説明したが、いずれか或いは全ての記録媒体が画像処理装置１００に固定したままとなっていても勿論問題無い。また、画像処理装置１００に記録媒体２００或いは２１０が、単数或いは複数の任意の個数接続可能な構成であっても構わない。そして、画像処理装置１００に記録媒体２００及び２１０が装着する構成として説明したが、記録媒体は単数或いは複数の何れの組み合わせの構成であっても、勿論問題無い。
【００７３】
また、前述した実施の形態の機能を実現するソフトウェアのプログラムコードを記録した記憶媒体を、システム或いは装置に供給する。そのシステム或いは装置のコンピュータ（またはＣＰＵやＭＰＵ）が、該記憶媒体に格納されたプログラムコードを読み出し実行することによっても、同様の効果を得ることができるのは言うまでもない。
【００７４】
この場合、記憶媒体から読み出されたプログラムコード自体が前述した実施の形態の機能を実現することになり、そのプログラムコードを記憶した記憶媒体は本発明を構成することになる。
【００７５】
プログラムコードを供給するための前記記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００７６】
また、コンピュータが読み出したプログラムコードを実行することにより、前述した実施の形態の機能が実現されるだけでない。そのプログラムコードの指示に基づき、コンピュータ上で稼動しているＯＳ（オペレーティングシステム）などが実際の処理の一部又は全部を行い、その処理によって前述した実施の形態の機能が実現される場合も含まれることは言うまでもない。
【００７７】
さらに、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【００７８】
【図１】本発明の実施の各形態に係る画像処理装置の概略構成を示したブロック図である。
【図２】本発明の実施の第１の形態に係るステッピングモータの駆動シーケンスの一例である。
【図３】同じく本発明の実施の第１の形態に係るステッピングモータの駆動波形の一例である。
【図４】同じく本発明の実施の第１から第６の形態に係る光量調節装置の駆動範囲とそのモータの位相を示す図の一例である。
【図５】同じく本発明の実施の第１の形態に係る画像処理装置の色変換モード時の動作を示す、デジタルズーム表示の拡大倍率に応じた色取り込み枠の大きさの一例を示す図である。
【符号の説明】
【００７９】
１０  撮像レンズ
１１  光量調節装置
１２  シャッタ
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露出制御回路
４２  測距制御回路
４４  ズーム制御回路
４６  バリア制御回路
５０  システム制御回路
５２  メモリ
５４  表示部
５６  不揮発性メモリ
６０  モードダイアルスイッチ
６２  シャッタースイッチＳＷ１
６４  シャッタースイッチＳＷ２
６６  画像表示ＯＮ／ＯＦＦスイッチ
６８  クイックレビューＯＮ／ＯＦＦスイッチ
７０  操作部
８０  電源制御回路
８２  コネクタ
８４  コネクタ
８６  電源装置
９０  インタフェース
９２  コネクタ
９４  インタフェース
９６  コネクタ
９８  記録媒体着脱検知装置
１００  画像処理装置
１０２  保護部材
１０４  光学ファインダ
１１０  通信装置
１１２  コネクタ（またはアンテナ）
１２０  ゲインアンプ
２００  記録媒体
２０２  記録部
２０４  インタフェース
２０６  コネクタ
２１０  記録媒体
２１２  記録部
２１４  インタフェース
２１６  コネクタ
【図１】
2007033657.tif 000003
【図２】
2007033657.tif 000004
【図３】
2007033657.tif 000005
【図４】
2007033657.tif 000006
【図５】
2007033657.tif 000007